(57)【要約】【課題】  ねじ部材の引っ掛かりを防ぎ、電池蓋を容易に取り外すことができる電池蓋の取付構造を提供する。【解決手段】  機器ケース１にスライド可能に装着して電池収納部６を覆う電池蓋９にねじ挿入孔１３を設け、このねじ挿入孔１３にねじ部材１０を挿入させて機器ケース１の下ケース３に設けられたナット１１のねじ孔１２に螺着させる電池蓋の取付構造において、電池蓋９の内面に金属板１６を取り付け、この金属板１６にねじ部材１０を螺入によって保持する保持孔１７を設けた。従って、ねじ部材１０を緩めてナット１１のねじ孔１２から離脱させても、ねじ部材１０の先端部が金属板１６の保持孔１７に螺合していることにより、ねじ部材１０を更に緩めてナット１１のねじ孔１２の縁部から完全に抜き出すことができる。このため、ねじ部材１０の先端部がナット１１のねじ孔１２の縁部に引っ掛からず、電池蓋９をスライドさせて容易に取り外すことができる。【選択図】        図１２
2008010225.tif 000002
【特許請求の範囲】
【請求項１】
本体ケースにスライド可能に装着して前記本体ケースに設けられた電池収納部を覆う電池蓋にねじ挿入孔を設け、このねじ挿入孔にねじ部材を挿入させて前記本体ケースに設けられたねじ孔に螺着させることにより、前記電池蓋を前記本体ケースに取り付ける電池蓋の取付構造において、
前記電池蓋の内面に金属板を前記本体ケースの前記ねじ孔に接近させて取り付け、この金属板に前記ねじ部材が螺入することによって前記ねじ部材を保持するための保持孔を前記本体ケースの前記ねじ孔に対応させて設けたことを特徴とする電池蓋の取付構造。
【請求項２】
前記電池蓋の内面には前記金属板を前記本体ケースの前記ねじ孔に接近させて配置するための台座部が設けられ、この台座部には一対の係止突起部が設けられていると共に、前記金属板には前記台座部の前記一対の係止突起部にそれぞれ係脱可能に係合する一対の係合部が設けられていることを特徴とする請求項１に記載の電池蓋の取付構造。
【請求項３】
本体ケースにスライド可能に装着して前記本体ケースに設けられた電池収納部を覆う電池蓋にねじ挿入孔を設け、このねじ挿入孔にねじ部材を挿入させて前記本体ケースに設けられたねじ孔に螺着させることにより、前記電池蓋を前記本体ケースに取り付ける電池蓋の取付構造において、
前記電池蓋の前記ねじ挿入孔には、前記ねじ部材が螺入するねじ溝が設けられており、前記ねじ部材は、前記本体ケースの前記ねじ孔に螺合する第１ねじ部と、前記電池蓋の前記ねじ挿入孔に螺合する第２ねじ部と、前記第１、第２ねじ部の間に設けられた括れ部とを有し、前記第２ねじ部が前記電池蓋の前記ねじ挿入孔に螺合している状態ときに、前記第１ねじ部を前記本体ケースの前記ねじ孔から離脱させることを特徴とする電池蓋の取付構造。
【請求項４】
本体ケースにスライド可能に装着して前記本体ケースに設けられた電池収納部を覆う電池蓋にねじ挿入孔を設け、このねじ挿入孔にねじ部材を挿入させて前記本体ケースに設けられたねじ孔に螺着させることにより、前記電池蓋を前記本体ケースに取り付ける電池蓋の取付構造において、
前記ねじ部材を前記本体ケースの前記ねじ孔から離れる方向に付勢する付勢部材を備えていることを特徴とする電池蓋の取付構造。
【請求項５】
本体ケースにスライド可能に装着して前記本体ケースに設けられた電池収納部を覆う電池蓋にねじ挿入孔を設け、このねじ挿入孔にねじ部材を挿入させて前記本体ケースに設けられたねじ孔に螺着させることにより、前記電池蓋を前記本体ケースに取り付ける電池蓋の取付構造において、
前記電池蓋に第１磁石を設けると共に、前記ねじ部材に第２磁石を設け、前記第１、第２磁石は前記ねじ部材が前記本体ケースの前記ねじ孔から離れる方向に向けて互いに反発することを特徴とする電池蓋の取付構造。
【発明の詳細な説明】
【技術分野】
【０００１】
この発明は、電子式小型計算機、電子辞書、携帯電話機、携帯型情報処理端末機（ＰＤＡ：パーソナル・デジタル・アシスタント）、ゲーム機などの電子機器に用いられる電池蓋の取付構造に関する。
【背景技術】
【０００２】
従来、電子式小型計算機などの電子機器においては、特許文献１に記載されているように、機器ケースの裏面に動作用の電池収納部とバックアップ用の電池収納部とを設け、これら電池収納部を覆う電池蓋を機器ケースにそれぞれ開閉可能に取り付けたものがある。
【特許文献１】特開平７−７２７８号
【０００３】
この場合、動作用の電池収納部は、電子機器を動作させるための電池を収納するものであり、電池交換の頻度が高いため、この動作用の電池収納部を覆う電池蓋は、機器ケースにスライド可能に取り付けられて簡単に取り外すことができるように構成されている。一方、バックアップ用の電池収納部は、電子機器に記憶されたデータを保存するための電池を収納するものであり、衝撃などによって電池蓋が簡単に外れないように確実に取り付ける必要がある。
【０００４】
すなわち、このバックアップ用の電池は、交換頻度が少なく、動作用の電池収納部に電池を収納した状態で電池交換する必要があるため、このバックアップ用の電池収納部を覆う電池蓋は、機器ケースにスライド可能に装着された後、ねじ部材によって機器ケースにねじ止めされている。この場合、電池蓋には、ねじ部材が挿入する挿入孔が設けられている。また、機器ケースには、ねじ部材が螺着するねじ孔が設けられており、このねじ孔の縁部には、ねじ部材を誘い込みやすくするために、ねじ溝が設けられていないテーパ状の面取り部が設けられている。
【発明の開示】
【発明が解決しようとする課題】
【０００５】
このような従来の電池蓋の取付構造では、電池蓋をスライドさせて電池収納部を覆った状態でねじ部材によって機器ケースにねじ止めするときに、機器ケースのねじ孔の縁部にねじ溝のないテーパ状の面取り部が設けられるので、ねじ部材を機器ケースのねじ孔に容易に螺着させることはできるが、ねじ部材を緩めて電池蓋を電池蓋を取り外すときに、ねじ部材の先端部がねじ孔の縁部の面取り部に到達すると、ねじ部材が空転するため、ねじ孔からねじ部材を抜き出したものと勘違いし、この状態で電池蓋をスライドさせると、ねじ部材の先端部がねじ孔の面取り部に引っ掛かり、電池蓋が開けにくいという問題がある。
【０００６】
この発明が解決しようとする課題は、ねじ部材の引っ掛かりを防いで、電池蓋を容易に取り外すことができる電池蓋の取付構造を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１３に示すように、本体ケース（機器ケース１）にスライド可能に装着して前記本体ケースに設けられた電池収納部（６）を覆う電池蓋（９）にねじ挿入孔（１３）を設け、このねじ挿入孔にねじ部材（１０）を挿入させて前記本体ケースに設けられたねじ孔（１２）に螺着させることにより、前記電池蓋を前記本体ケースに取り付ける電池蓋の取付構造において、
前記電池蓋の内面に金属板（１６）を前記本体ケースの前記ねじ孔に接近させて取り付け、この金属板に前記ねじ部材が螺入することによって前記ねじ部材を保持するための保持孔（１７）を前記本体ケースの前記ねじ孔に対応させて設けたことを特徴とする電池蓋の取付構造である。
【０００９】
請求項２に記載の発明は、図１〜図１３に示すように、前記電池蓋（９）の内面に、前記金属板（１６）を前記本体ケース（機器ケース１）の前記ねじ孔（１２）に接近させて配置するための台座部（取付台座部１５）が設けられ、この台座部には一対の係止突起部（１８）が設けられていると共に、前記金属板には前記台座部の前記一対の係止突起部にそれぞれ係脱可能に係合する一対の係合部（係合フック部１９および係合孔部２０）が設けられていることを特徴とする請求項１に記載の電池蓋の取付構造である。
【００１０】
請求項３に記載の発明は、図１４〜図１７に示すように、本体ケース（機器ケース１）にスライド可能に装着して前記本体ケースに設けられた電池収納部（６）を覆う電池蓋（９）にねじ挿入孔（１３）を設け、このねじ挿入孔にねじ部材（２４）を挿入させて前記本体ケースに設けられたねじ孔（１２）に螺着させることにより、前記電池蓋を前記本体ケースに取り付ける電池蓋の取付構造において、
前記電池蓋の前記ねじ挿入孔には、前記ねじ部材が螺入するねじ溝が設けられており、前記ねじ部材は、前記本体ケースの前記ねじ孔に螺合する第１ねじ部（２５）と、前記電池蓋の前記ねじ挿入孔に螺合する第２ねじ部（２６）と、前記第１、第２ねじ部の間に設けられた括れ部（２７）とを有し、前記第２ねじ部が前記電池蓋の前記ねじ挿入孔に螺合している状態のときに、前記第１ねじ部を前記本体ケースの前記ねじ孔から離脱させることを特徴とする電池蓋の取付構造である。
【００１１】
請求項４に記載の発明は、図１８〜図２１に示すように、本体ケース（機器ケース１）にスライド可能に装着して前記本体ケースに設けられた電池収納部（６）を覆う電池蓋（９）にねじ挿入孔（１３）を設け、このねじ挿入孔にねじ部材（１０）を挿入させて前記本体ケースに設けられたねじ孔（１２）に螺着させることにより、前記電池蓋を前記本体ケースに取り付ける電池蓋の取付構造において、
前記ねじ部材を前記本体ケースの前記ねじ孔から離れる方向に付勢する付勢部材（ばね部材３０）を備えていることを特徴とする電池蓋の取付構造である。
【００１２】
請求項５に記載の発明は、図２２〜図２５に示すように、本体ケース（機器ケース１）にスライド可能に装着して前記本体ケースに設けられた電池収納部（６）を覆う電池蓋（９）にねじ挿入孔（１３）を設け、このねじ挿入孔にねじ部材（１０）を挿入させて前記本体ケースに設けられたねじ孔（１２）に螺着させることにより、前記電池蓋を前記本体ケースに取り付ける電池蓋の取付構造において、
前記電池蓋に第１磁石（４１）を設けると共に、前記ねじ部材に第２磁石（４２）を設け、前記第１、第２磁石は前記ねじ部材が前記本体ケースの前記ねじ孔から離れる方向に向けて互いに反発することを特徴とする電池蓋の取付構造である。
【発明の効果】
【００１３】
請求項１に記載の発明によれば、電池蓋の内面に金属板を本体ケースのねじ孔に接近させて取り付け、この金属板にねじ部材が螺入することによってねじ部材を保持するための保持孔を本体ケースのねじ孔に対応させて設けたので、ねじ部材を緩めて電池蓋を本体ケースから取り外すときに、ねじ部材の先端部が本体ケースのねじ孔から離脱しても、ねじ部材の先端部が金属板の保持孔に螺合して保持されていることにより、ねじ部材が空転せずに、更にねじ部材を緩めることができ、これによりねじ部材の先端部を本体ケースのねじ孔の縁部から完全に抜き出すことができる。
【００１４】
このため、本体ケースのねじ孔の縁部に、ねじ部材を誘い込みやすくするためのねじ溝のない面取り部が設けられていても、ねじ部材が空転せずに、ねじ部材の先端部を本体ケースのねじ孔の縁部に設けられた面取り部から完全に抜き出すことができる。これにより、この状態で電池蓋をスライドさせると、ねじ部材の先端部が本体ケースのねじ孔の縁部に引っ掛かることがなく、電池蓋を確実に且つ円滑にスライドさせて本体ケースから容易に取り外すことができる。
【００１５】
請求項２に記載の発明によれば、電池蓋の内面に金属板を本体ケースのねじ孔に接近させて配置するための台座部が設けられ、この台座部には一対の係止突起部が設けられていると共に、金属板には台座部の一対の係止突起部にそれぞれ係脱可能に係合する一対の係合部が設けられていることにより、金属板の一対の係合部を電池蓋の台座部に設けられた一対の係止突起部にそれぞれ係合させるだけで、金属板を台座部に簡単に取り付けることができ、これにより金属板を本体ケースのねじ孔に接近させた状態で電池蓋の内面に確実に且つ容易に取り付けることができる。
【００１６】
請求項３に記載の発明によれば、電池蓋のねじ挿入孔にねじ部材が螺入するねじ溝が設けられており、ねじ部材が、本体ケースのねじ孔に螺合する第１ねじ部と、電池蓋のねじ挿入孔に螺合する第２ねじ部と、第１、第２ねじ部の間に設けられた括れ部とを有し、第２ねじ部が電池蓋のねじ挿入孔に螺合している状態のときに、第１ねじ部を本体ケースのねじ孔から離脱させることにより、ねじ部材を緩めて電池蓋を本体ケースから取り外すときに、ねじ部材の第１ねじ部の先端部が本体ケースのねじ孔から離脱しても、第２ねじ部が電池蓋のねじ挿入孔に螺合しているので、ねじ部材が空転せず、ねじ部材を更に緩めてねじ部材の括れ部を電池蓋のねじ挿入孔に挿入させることができる。
【００１７】
これにより、ねじ部材の第１ねじ部を本体ケースのねじ孔の縁部から完全に抜き出すことができる。このため、請求項１に記載の発明と同様、本体ケースのねじ孔の縁部に、ねじ部材を誘い込みやすくするためのねじ溝のない面取り部が設けられていても、ねじ部材が空転せずに、ねじ部材の第１ねじ部を本体ケースのねじ孔の縁部に設けられた面取り部から完全に抜き出すことができる。また、ねじ部材の第２ねじ部が電池蓋のねじ挿入孔から離脱すると、ねじ部材の括れ部が電池蓋のねじ挿入孔に挿入して空転するので、ねじ部材の第１ねじ部が本体ケースのねじ孔から完全に抜け出していることを確認することができる。
【００１８】
したがって、電池蓋がスライド可能であることを確認することができ、この状態で電池蓋をスライドさせると、ねじ部材の先端部が本体ケースのねじ孔の縁部に引っ掛かることがなく、電池蓋を確実に且つ円滑にスライドさせて本体ケースから容易に取り外すことができる。また、この場合には、請求項１に記載された発明のような金属板を用いていないため、部品点数を削減することができると共に、組立て作業の簡素化をも図ることができる。
【００１９】
請求項４に記載の発明によれば、ねじ部材を本体ケースのねじ孔から離れる方向に付勢する付勢部材を備えていることにより、ねじ部材を緩めて電池蓋を本体ケースから取り外すときに、ねじ部材の先端部が本体ケースのねじ孔の縁部に到達して、ねじ孔に対するねじ部材の螺合が解除されると、付勢部材の付勢力によってねじ部材を本体ケースのねじ孔から強制的に引き離すことができ、これによりねじ部材の先端部を本体ケースのねじ孔の縁部から完全に抜き出すことができる。
【００２０】
このため、請求項１または３に記載の発明と同様、本体ケースのねじ孔の縁部に、ねじ部材を誘い込みやすくするためのねじ溝のない面取り部が設けられていても、ねじ部材の先端部を本体ケースのねじ孔の縁部に設けられた面取り部から完全に抜き出すことができる。これにより、この状態で電池蓋をスライドさせると、ねじ部材の先端部が本体ケースのねじ孔の縁部に引っ掛かることがなく、電池蓋を確実に且つ円滑にスライドさせて本体ケースから容易に取り外すことができる。
【００２１】
請求項５に記載の発明によれば、電池蓋に第１磁石を設けると共に、ねじ部材に第２磁石を設け、第１、第２磁石がねじ部材を本体ケースのねじ孔から引き離す方向に向けて互いに反発することにより、ねじ部材を緩めて電池蓋を本体ケースから取り外すときに、ねじ部材の先端部が本体ケースのねじ孔の縁部に到達して、ねじ孔に対するねじ部材の螺合が解除されると、第１、第２磁石の反発力によってねじ部材を本体ケースのねじ孔から強制的に引き離すことができ、これによりねじ部材の先端部を本体ケースのねじ孔の縁部から完全に抜き出すことができる。
【００２２】
このため、請求項４に記載の発明と同様、本体ケースのねじ孔の縁部に、ねじ部材を誘い込みやすくするためのねじ溝のない面取り部が設けられていても、ねじ部材の先端部を本体ケースのねじ孔の縁部に設けられた面取り部から完全に抜き出すことができる。これにより、この状態で電池蓋をスライドさせると、ねじ部材の先端部が本体ケースのねじ孔の縁部に引っ掛かることがなく、電池蓋を確実に且つ円滑にスライドさせて本体ケースから容易に取り外すことができる。
【発明を実施するための最良の形態】
【００２３】
（実施形態１）
以下、図１〜図１３を参照して、この発明を電子式小型計算機に適用した実施形態１について説明する。
図１はこの発明を適用した電子式小型計算機の正面図、図２は図１の電子式小型計算機の裏面図、図３は図２の電子式小型計算機の電池蓋を取り外した状態を示した分解斜視図、図４は図２のＡ−Ａ矢視における要部の拡大断面図である。
この電子式小型計算機は、図１〜図４に示すように、機器ケース１を備えている。
【００２４】
この機器ケース１は、上ケース２と下ケース３とからなり、その内部にキー入力部４、表示部５、電池収納部６、および回路基板７（図４参照）が設けられているほか、計算機能に必要な各種の電子部品（図示せず）を備えている。キー入力部４は、図１に示すように、テンキー、ファンクションキー、カーソルキーなどの各種のキー４ａを有し、これらキー４ａが上ケース２から上面側に露呈している。表示部５は、液晶表示素子やＥＬ（エレクトロルミネッセンス）表示素子などの平面型の表示素子からなり、図１に示すように、上ケース２から上面側に露呈した状態で、キー入力部４で入力されたデータおよびその計算結果などの情報を電気光学的に表示するように構成されている。
【００２５】
電池収納部６は、図４に示すように、電池８を収納するものであり、図２および図３に示すように、機器ケース１の上辺側に設けられ、下ケース３から裏面側（図３〜図５では上面側）に開放されていると共に、図２〜図５に示すように、電池蓋９によって開閉可能に覆われるように構成されている。この電池蓋９は、図２〜図５に示すように、下ケース３の裏面（図２〜図５では上面）にスライド可能に装着して電池収納部６を覆い、この状態でねじ部材１０によって下ケース３にねじ止めされるように構成されている。
【００２６】
すなわち、下ケース３には、図４に示すように、ナット１１が埋め込まれている。このナット１１には、図６（ａ）および図６（ｂ）に示すように、ねじ孔１２が上下に貫通して設けられており、このねじ孔１２の縁部には、ねじ部材１０を誘い込みやすくするために、ねじ溝のない面取り部１２ａが設けられている。電池蓋９は、図２および図３に示すように、下ケース３の上辺側からスライドして下ケース３に装着するものであり、全体がほぼ平板状に形成されていると共に、図３〜図５に示すように、下ケース３の上辺側に対応する部分が機器ケース１の上辺部の形状に沿って湾曲した形状に形成されている。
【００２７】
この電池蓋９には、図４および図５に示すように、ねじ部材１０が螺入するねじ挿入孔１３が、下ケース３に電池蓋９を装着した状態のときに下ケース３のナット１１のねじ孔１２に対応して設けられている。この場合、ねじ挿入孔１３は、その内周面にねじ部材１０が螺入するためのねじ溝（図示せず）が設けられた構成になっている。また、この電池蓋９の外面には、図４に示すように、座ぐり部１４がねじ挿入孔１３に対応して設けられている。
【００２８】
さらに、この電池蓋９の内面には、図４および図７に示すように、金属板１６を配置するための取付台座部１５が設けられている。この取付台座部１５は、図４に示すように、金属板１６を下ケース３のナット１１に接近させて配置するためのものであり、図７に示すように、長方形の枠状に形成され、電池蓋９のねじ挿入孔１３と下ケース３のナット１１とに対応する個所における電池蓋９の内面に設けられている。
【００２９】
金属板１６は、アルミニウムやステンレスなどの薄い金属からなり、その中心部に保持孔１７が、枠状の取付台座部１５内の空間部を挟んで電池蓋９のねじ挿入孔１３に対応する共に、下ケース３のナット１１のねじ孔１２にも対応して設けられている。この金属板１６の保持孔１７は、ねじ部材１０が螺入することによってねじ部材１０を保持するためのものであり、金属板１６の厚みがねじ部材１０における後述するねじ部１０ａのねじ溝のピッチとほぼ同じ程度に薄いことにより、保持孔１７の内周面がねじ部材１０のねじ溝に食い込み、これによりねじ部材１０のねじ部１０ａが螺合するように構成されている。
【００３０】
一方、ねじ部材１０は、図４に示すように、その先端部側（同図では下端部側）に下ケース３のナット１１のねじ孔１２に螺合するねじ部１０ａが設けられ、このねじ部１０ａの上側端部に電池蓋９のねじ挿入孔１４に螺合することなく挿入する首下部１０ｂが設けられ、この首下部１０ｂの更に上側端部に電池蓋９の座ぐり部１４に配置される頭部１０ｃが設けられ、ねじ部１０ａの外径が首下部１０ｂの外径よりも少し大きく形成された構成になっている。
【００３１】
これにより、ねじ部材１０は、図４に示すように、ねじ部１０ａが電池蓋９のねじ挿入孔１３に螺入して通過すると、首下部１０ｂがねじ挿入孔１３に挿入すると共に、ねじ部１０ａが取付台座部１５の空間部を通って金属板１６の保持孔１７に螺入し、この状態でねじ部１０ａが下ケース３に設けられたナット１１のねじ孔１２に螺入して、頭部１０ｃが電池蓋９の座ぐり部１４に配置されることにより、電池蓋９を下ケース３にねじ止めするように構成されている。
【００３２】
ところで、電池蓋９の内面に設けられた枠状の取付台座部１５における長手方向の両側には、図７、図１０および図１１に示すように、係止突起部１８がそれぞれ形成されている。この取付台座部１５に取り付けられる金属板１６は、図７および図９に示すように、全体が取付台座部１５とほぼ同じ大きさの長方形状に形成されている。この金属板１６の長手方向の一端部（図９では左端部）には、取付台座部１５の一方（図１０では左方）の係止突起部１８に係脱可能に係合する係合フック部１９が設けられており、金属板１６の他端部（図９では右端部）には、取付台座部１５の他方（図１０では右方）の係止突起部１８に係脱可能に係合する係合孔部２０が設けられている。
【００３３】
これにより、金属板１６は、図１０に示すように、取付台座部１５の右方の係止突起部１８に係合孔部２０を係合させ、この状態で係合フック部１９を取付台座部１５の左方の係止突起部１８に係合させることにより、図１１に示すように、取付台座部１５に着脱可能に取り付けられるように構成されている。この場合、金属板１６の幅方向における両側には、取付台座部１５の長手方向に沿う両側面に当接して金属板１６の幅方向の位置規制をする横振れ防止部２１がそれぞれ設けられている。
【００３４】
次に、このような電池蓋９を機器ケース１に取り付ける場合について説明する。
このときには、まず、機器ケース１の電池収納部６に電池８を収納し、この状態で電池蓋９を下ケース３の上辺側の端部からスライドさせて下ケース３に装着させることにより、この電池蓋９で電池収納部６を覆って塞ぐ。この状態のときには、図４および図１２に示すように、電池蓋９のねじ挿入孔１３と、取付台座部１５に取り付けられた金属板１６の保持孔１７とが、下ケース３に設けられたナット１１のねじ孔１２に対応するので、電池蓋９の外部側（図４では上方）からねじ部材１０を電池蓋９のねじ挿入孔１３から挿入して、下ケース３のナット１１のねじ孔１２に螺着することにより、電池蓋９を下ケース３にねじ止めすることができる。
【００３５】
すなわち、ねじ部材１０は、図１２に示すように、その先端側のねじ部１０ａが電池蓋９のねじ挿入孔１３に螺入して通過すると、首下部１０ｂがねじ挿入孔１３に挿入すると共に、ねじ部１０ａが取付台座部１５の空間部を通り、金属板１６の保持孔１７に螺入する。この状態で、ねじ部材１０を更に締め付けると、図４に示すように、金属板１６の保持孔１７に螺入したねじ部１０ａが下ケース３に設けられたナット１１のねじ孔１２にも螺入し、この状態で頭部１０ｃが電池蓋９の座ぐり部１４に配置される。これにより、電池蓋９が下ケース３にねじ止めされる。
【００３６】
また、電池蓋９を機器ケース１から取り外す場合には、まず、ねじ部材１０を緩めると、図１２に示すように、ねじ部材１０のねじ部１０ａが下ケース１１に設けられたナット１１のねじ孔１２から離脱する。このときには、ねじ部材１０のねじ部１０ａの先端部が電池蓋９の取付台座部１５に取り付けられた金属板１６の保持孔１７に螺入して保持されているので、ねじ部材１０が空転せずに、更にねじ部材１０を緩めることができる。これにより、ねじ部材１０のねじ部１０ａの先端部を金属板１６の保持孔１７から離脱させることができ、この状態で、図１３に示すように、電池蓋９を矢印方向にスライドさせることにより、電池蓋９を機器ケース１から取り外すことができる。
【００３７】
このように、この電池蓋９の取付構造によれば、ねじ挿入孔１３が設けられた電池蓋９の内面に取付台座部１５を設け、この取付台座部１５に金属板１６を下ケース３のナット１１に接近させて取り付け、この金属板１６にねじ部材１０が螺入することによってねじ部材１０を保持するための保持孔１７をナット１１のねじ孔１２に対応させて設けたので、ねじ部材１０を緩めて電池蓋９を機器ケース１の下ケース３から取り外すときに、ねじ部材１０の先端部が下ケース３に設けられたナット１１のねじ孔１２から離脱しても、ねじ部材１０の先端部が金属板１６の保持孔１７に螺合して保持されていることにより、ねじ部材１０が空転せずに、ねじ部材１０を更に緩めることができる。
【００３８】
これにより、ねじ部材１０の先端部を下ケース３に設けられたナット１１のねじ孔１２の縁部から完全に抜き出すことができる。このため、下ケース３に設けられたナット１１のねじ孔１２の縁部に、ねじ部材１０を誘い込みやすくするためのねじ溝のない面取り部１２ａが設けられていても、ねじ部材１０の先端部を下ケース３に設けられたナット１１のねじ孔１２の縁部に設けられた面取り部１２ａから完全に抜き出すことができる。これにより、この状態で電池蓋９をスライドさせると、ねじ部材１０の先端部が下ケース３のナット１１におけるねじ孔１２の縁部に引っ掛かることがなく、電池蓋９を確実に且つ円滑にスライドさせて下ケース３から容易に取り外すことができる。
【００３９】
この場合、電池蓋９の内面には金属板１６を下ケース３のナット１１に接近させて配置するための取付台座部１５が設けられ、この取付台座部１５の長手方向の両端部には係止突起部１８がそれぞれ設けられ、金属板１６の両端部には取付台座部１５の各係止突起部１８に係脱可能に係合する係合フック部１９と係合孔部２０とが設けられているので、金属板１６の係合孔部２０を取付台座部１５の一方の係止突起部１８に係合させて、金属板１６の係合フック部１９を取付台座部１５の他方の係止突起部１８に係合させるだけで、金属板１６を取付台座部に簡単に取り付けることができ、これにより金属板１６を下ケース３のナット１１に接近させた状態で電池蓋９の内面に確実に且つ容易に取り付けることができる。
【００４０】
また、この金属板１６の幅方向における両側には、取付台座部１５の長手方向に沿う両側面に当接して金属板１６の幅方向の位置規制をする横振れ防止部２１がそれぞれ設けられているので、金属板１６の係合フック部１９と係合孔部２０とを電池蓋９の取付台座部１５の各係止突起部１８に係合させて金属板１６を取付台座部に取り付けるときに、横振れ防止部２１によって金属板１６の幅方向を位置規制することができる。これにより、金属板１６を取付台座部１５に正確に位置決めすることができると共に、金属板１６の保持孔１７を正確に下ケース３のナット１１のねじ孔１２に対応させることができる。
【００４１】
（実施形態２）
次に、図１４〜図１７を参照して、この発明を電子式小型計算機に適用した実施形態２について説明する。なお、図１〜図１３に示された実施形態１と同一部分には同一符号を付して説明する。
この電子式小型計算機は、金属板１６を用いずに、電池蓋９を機器ケース１の下ケース３に取り付けるねじ部材２４を実施形態１と異なる形状に形成した構成であり、これ以外は実施形態１とほぼ同じ構成になっている。
【００４２】
すなわち、このねじ部材２４は、図１４および図１５に示すように、下ケース３に埋め込まれたナット１１のねじ孔１２に螺合する下側の第１ねじ部２５と、電池蓋９のねじ挿入孔１３に螺合する上側の第２ねじ部２６と、第１、第２ねじ部２５、２６の間に設けられた括れ部２７と、上側の第２ねじ部２６の端部（図１５では上端部）に設けられて電池蓋９の座ぐり部１４に配置されている頭部２８とを有し、上側の第２ねじ部２７が電池蓋９のねじ挿入孔１３に螺合している状態のときに、下側の第１ねじ部２５を下ケース３のナット１１のねじ孔１２から離脱させるように構成されている。
【００４３】
この場合、電池蓋９のねじ挿入孔１３に螺合する上側の第２ねじ部２６は、その長さが下ケース３に設けられたナット１１のねじ孔１２の長さよりも少し長く形成されていると共に、このナット１１のねじ孔１２に螺合する下側の第１ねじ部２５の長さよりも少し長く形成されている。これにより、ねじ部材２４は、上側の第２ねじ部２７が電池蓋９のねじ挿入孔１３に螺合した状態を維持しているときに、下側の第１ねじ部２５を下ケース３のナット１１のねじ孔１２から離脱させ、且つ上側の第２ねじ部２７が電池蓋９のねじ挿入孔１３から離脱したときに、括れ部２７がねじ挿入孔１３に回転自在に挿入するように構成されている。
【００４４】
このような電子式小型計算機における電池蓋９の取付構造によれば、ねじ部材２４が、下ケース３に設けられたナット１１のねじ孔１２に螺合する下側の第１ねじ部２５と、電池蓋９のねじ挿入孔１３に螺合する上側の第２ねじ部２６と、第１、第２ねじ部２５、２６の間に設けられた括れ部２７とを有し、上側の第２ねじ部２６が電池蓋９のねじ挿入孔１３に螺合している状態のときに、下側の第１ねじ部２５を下ケース３に設けられたナット１１のねじ孔１２から離脱させることにより、ねじ部材２４を緩めて電池蓋９を下ケース３から取り外すときに、ねじ部材２４の第１ねじ部２５の先端部が下ケース３のナット１１のねじ孔１２から離脱しても、上側の第２ねじ部２６が電池蓋９のねじ挿入孔１３に螺合しているので、ねじ部材２４が空転せず、ねじ部材２４を更に緩めることができる。
【００４５】
このため、ねじ部材２４の第１ねじ部２５を下ケース３に設けられたナット１１のねじ孔１２の縁部から完全に抜き出すことができる。これにより、実施形態１と同様、下ケース３に設けられたナット１１のねじ孔１２の縁部に、ねじ部材２４を誘い込みやすくするためのねじ溝のない面取り部１２ａが設けられていても、ねじ部材２４の第１ねじ部２５を下ケース３に設けられたナット１１のねじ孔１２の縁部に設けられた面取り部１２ａから完全に抜き出すことができる。また、ねじ部材２４の第２ねじ部２６が電池蓋９のねじ挿入孔１３から離脱すると、ねじ部材２４の括れ部２７が電池蓋９のねじ挿入孔１３に挿入して空転するので、ねじ部材２４の第１ねじ部２５が下ケース３のナット１１のねじ孔１２から完全に抜け出していることを確認することができる。
【００４６】
これにより、電池蓋９がスライド可能であることを確認することができ、この状態で電池蓋９をスライドさせると、ねじ部材２４の第１ねじ部２５の先端部がナット１１のねじ孔１２の縁部に引っ掛かることがなく、電池蓋９を確実に且つ円滑にスライドさせて下ケース３から容易に取り外すことができる。この場合には、特に実施形態１のような金属板１６を用いていないため、部品点数を削減することができると共に、組立て作業の簡素化をも図ることができ、これにより低価格なものを提供することができる。
【００４７】
（実施形態３）
次に、図１８〜図２１を参照して、この発明を電子式小型計算機に適用した実施形態３について説明する。この場合にも、図１〜図１３に示された実施形態１と同一部分に同一符号を付して説明する。
この電子式小型計算機は、実施形態１の金属板１６に代えて、ねじ部材１０を下ケース３のナット１１から離れる方向に付勢するばね部材３０を備えた構成であり、これ以外は実施形態１とほぼ同じ構成になっている。
【００４８】
すなわち、このばね部材３０は、ほぼ円錐形状のコイルばねであり、図１９（ａ）および図１９（ｂ）に示すように、一端部（図１９では下端部）が電池蓋９の座ぐり部１４の内径とほぼ同じ大きさの大径部３０ａに形成され、他端部側（図１９では上端部側）に向かって次第に小径となり、その最端部に位置する小径部３０ｂの内径がねじ部材１０の外径とほぼ同じ大きさに形成され、両端部側から押圧されて収縮したときに、一端部の大径部３０ａ内に小径部３０ｂ側が順次配置されて全体がほぼ平板状になるように構成されている。
【００４９】
また、このばね部材３０は、図２１に示すように、一端部の大径部３０ａが電池蓋９の座ぐり部１４内に配置され、この状態でねじ部材１０がばね部材３０の他端部の小径部３０ｂ内に挿入されて、図１８に示すように、ねじ部材１０のねじ部１０ａが下ケース３に設けられたナット１１のねじ孔１２に螺着すると、ばね部材３０の小径部３０ｂがねじ部材１０の頭部１０ｃによって押圧されて、ばね部材３０の大径部３０ａ内に順次圧縮されて配置されるように構成されている。
【００５０】
このような電子式小型計算機における電池蓋９の取付構造によれば、ねじ部材１０を下ケース３に設けられたナット１１から離れる方向に付勢するばね部材３０を備えているので、ねじ部材１０を緩めて電池蓋９を下ケース３から取り外すときに、ねじ部材１０のねじ部１０ａの先端部が下ケース３に設けられたナット１１のねじ孔１２の縁部に到達して、ねじ孔１２に対するねじ部１０ａの螺合が解除されると、ばね部材３０のばね力によってねじ部材１０を下ケース３のナット１１から強制的に引き離すことができる。これにより、ねじ部材１０のねじ部１０ａの先端部を下ケース３に設けられたナット１１のねじ孔１２の縁部から完全に抜き出すことができる。
【００５１】
このため、実施形態１と同様、下ケース３に設けられたナット１１のねじ孔１２の縁部に、ねじ部材１０を誘い込みやすくするためのねじ溝のない面取り部１２ａが設けられていても、ねじ部材１０のねじ部１０ａの先端部を下ケース３に設けられたナット１１のねじ孔１２の縁部に設けられた面取り部１２ａから完全に抜き出すことができる。これにより、この状態で電池蓋９をスライドさせると、ねじ部材１０のねじ部１０ａの先端部が下ケース３に設けられたナット１１のねじ孔１２の縁部に引っ掛かることがなく、電池蓋９を確実に且つ円滑にスライドさせて下ケース３から容易に取り外すことができる。
【００５２】
なお、上記実施形態３では、ねじ部材１０を下ケース３のナット１１から離れる方向に付勢する付勢部材として、ほぼ円錐形状のコイルばねであるばね部材３０を用いた場合について述べたが、これに限らず、例えば板ばねなどのばね部材を用いても良く、またばね部材に限らず、ゴムなどの弾性部材を用いても良い。
【００５３】
（実施形態４）
次に、図２２〜図２５を参照して、この発明を電子式小型計算機に適用した実施形態４について説明する。この場合にも、図１〜図１３に示された実施形態１と同一部分に同一符号を付して説明する。
この電子式小型計算機は、実施形態１の金属板１６に代えて、電池蓋９に第１磁石４１を設けると共に、ねじ部材１０に第２磁石４２を設け、第１、第２磁石４１、４２がねじ部材１０を下ケース３に設けられたナット１１から引き離す方向に向けて互いに反発するように構成したものであり、これ以外は実施形態１とほぼ同じ構成になっている。
【００５４】
すなわち、第１磁石４１は、図２２〜図２５に示すように、ねじ部材１０のねじ部１０ａが挿入するリング状に形成され、電池蓋９の座ぐり部１４内に埋め込まれている。第２磁石４２は、第１磁石４１と同様、ねじ部材１０の雄ねじ部１０ａが挿入するリング状に形成され、ねじ部材１０の頭部１０ｃの内面に、第１磁石４１の磁力に対して反発するように設けられている。
【００５５】
このような電子式小型計算機における電池蓋９の取付構造によれば、電池蓋９の座ぐり部１４に第１磁石４１を設けると共に、ねじ部材１０の頭部１０ｃに第２磁石４１を設け、第１、第２磁石４１、４２がねじ部材１０を下ケース３に設けられたナット１１から引き離す方向に向けて互いに反発することにより、ねじ部材１０を緩めて電池蓋９を下ケース３から取り外すときに、ねじ部材１０のねじ部１０ａ先端部が下ケース３に設けられたナット１１のねじ孔１２の縁部に到達して、ねじ孔１２に対するねじ部１０ａの螺合が解除されると、第１、第２磁石４１、４２の反発力によってねじ部材１０を下ケース３のナット１１から強制的に引き離すことができる。
【００５６】
これにより、ねじ部材１０のねじ部１０ａの先端部を下ケース３に設けられたナット１１のねじ孔１２の縁部から完全に抜き出すことができる。このため、実施形態１と同様、下ケース３に設けられたナット１１のねじ孔１２の縁部に、ねじ部材１０を誘い込みやすくするためのねじ溝のない面取り部１２ａが設けられていても、ねじ部材１０のねじ部１０ａの先端部を下ケース３に設けられたナット１１のねじ孔１２の縁部に設けられた面取り部１２ａから完全に抜き出すことができる。これにより、この状態で電池蓋９をスライドさせると、ねじ部材１０のねじ部１０ａの先端部が下ケース３に設けられたナット１１のねじ孔１２の縁部に引っ掛かることがなく、電池蓋９を確実に且つ円滑にスライドさせて下ケース３から容易に取り外すことができる。
【００５７】
なお、上記実施形態１〜４では、下ケース３にねじ孔１２を有するナット１１を設けた場合について述べたが、必ずしも下ケース３にナット１１を設ける必要はなく、下ケース３に直接ねじ孔１２を設けた構成でも良い。このような構成でも、実施形態１〜４と同様の作用効果を得ることができる。
【００５８】
また、上記実施形態１〜４では、電池蓋の取付構造を電子式小型計算機に適用した場合について述べたが、必ずしも電子式小型計算機である必要はなく、電子辞書、携帯電話機、携帯型情報処理端末機（ＰＤＡ：パーソナル・デジタル・アシスタント）、ゲーム機などの電子機器に広く適用することができる。
【図面の簡単な説明】
【００５９】
【図１】この発明を適用した電子式小型計算機の正面図である。（実施形態１）
【図２】図１の電子式小型計算機の裏面図である。
【図３】図２の電子式小型計算機の電池蓋を取り外した状態を示した分解斜視図である。
【図４】図２のＡ−Ａ矢視における要部の拡大断面図である。
【図５】図３における下ケースと電池蓋とを分解した斜視図である。
【図６】図４のナットを示し、（ａ）はそのナットの斜視図、（ｂ）はそのＢ−Ｂ矢視における拡大断面図である。
【図７】図５の電池蓋を表裏反転させて示した要部の分解斜視図である。
【図８】図４の電池蓋を示し、（ａ）はその側面図、（ｂ）はその裏面図である。
【図９】図７の金属板を示した拡大斜視図である。
【図１０】図９の金属板を電池蓋の取付台座部に取り付ける途中の状態を示した拡大側面図である。
【図１１】図１０の金属板を電池蓋の取付台座部に取り付けた状態を示した拡大側面図である。
【図１２】図４の状態でねじ部材を緩めた状態を示した要部の拡大断面図である。
【図１３】図１２の状態で電池蓋をスライドさせて取り外す状態を示した要部の拡大断面図である。
【図１４】この発明を適用した電子式小型計算機における要部の拡大断面図である。（実施形態２）
【図１５】図１４のねじ部材を拡大して示した正面図である。
【図１６】図１４の状態でねじ部材を緩めた状態を示した要部の拡大断面図である。
【図１７】図１６の状態で電池蓋をスライドさせて取り外す状態を示した要部の拡大断面図である。
【図１８】この発明を適用した電子式小型計算機における要部の拡大断面図である。（実施形態３）
【図１９】図１８のばね部材を示し、（ａ）はそのばね部材の拡大斜視図、（ｂ）はその正面図である。
【図２０】図１８の状態でねじ部材を緩めた状態を示した要部の拡大断面図である。
【図２１】図２０の状態で電池蓋をスライドさせて取り外す状態を示した要部の拡大断面図である。
【図２２】この発明を適用した電子式小型計算機における要部の拡大断面図である。（実施形態４）
【図２３】図２２の第１、第２磁石とねじ部材とを拡大して示した分解斜視図である。
【図２４】図２２の状態でねじ部材を緩めた状態を示した要部の拡大断面図である。
【図２５】図２４の状態で電池蓋をスライドさせて取り外す状態を示した要部の拡大断面図である。
【符号の説明】
【００６０】
１  機器ケース
２  上ケース
３  下ケース
９  電池蓋
１０、２４  ねじ部材
１０ａ  ねじ部
１０ｂ  首下部
１０ｃ、２８  頭部
１１  ナット
１２  ねじ孔
１２ａ  面取り部
１３  ねじ挿入孔
１５  取付台座部
１６  金属板
１７  保持孔
１８  係止突起部
１９  係合フック部
２０  係合孔部
２５、２６  第１、第２ねじ部
２７  括れ部
３０  ばね部材
４１、４２  第１、第２磁石
【図１】
2008010225.tif 000003
【図２】
2008010225.tif 000004
【図３】
2008010225.tif 000005
【図４】
2008010225.tif 000006
【図５】
2008010225.tif 000007
【図６】
2008010225.tif 000008
【図７】
2008010225.tif 000009
【図８】
2008010225.tif 000010
【図９】
2008010225.tif 000011
【図１０】
2008010225.tif 000012
【図１１】
2008010225.tif 000013
【図１２】
2008010225.tif 000014
【図１３】
2008010225.tif 000015
【図１４】
2008010225.tif 000016
【図１５】
2008010225.tif 000017
【図１６】
2008010225.tif 000018
【図１７】
2008010225.tif 000019
【図１８】
2008010225.tif 000020
【図１９】
2008010225.tif 000021
【図２０】
2008010225.tif 000022
【図２１】
2008010225.tif 000023
【図２２】
2008010225.tif 000024
【図２３】
2008010225.tif 000025
【図２４】
2008010225.tif 000026
【図２５】
2008010225.tif 000027